(57)【要約】【課題】映像に関連するキーワードを、効果的にユーザの利便性よく利用すること。【解決手段】静止画像抽出部３０２は、映像処理部３０１から入力される映像信号に基づいて、静止画像を抽出して文字列抽出部３０３に出力すると共に記憶部７１に記憶する。文字列抽出部３０３は、入力された静止画像の中に画像と一体の映像信号となっている文字列を抽出する。キーワード検出部３０４は、このキーワードと、このキーワードが含まれていた文字列の映像信号を含む静止画像とを関連付けて記憶部７１に保存する。リモコンＲＣなどからの操作入力の情報に応じて、サムネイル生成部３０５は、記憶されている静止画像を読み出して生成したサムネイルを、ブレンド部３０８を介して選択可能に表示機６１に提示させる。ブラウザ生成部３０６は、選択されたサムネイルに基づいて、インターネットを利用する情報検索処理を実行する。【選択図】  図３
2015039048.tif 000002
【特許請求の範囲】
【請求項１】
映像を出力する出力手段と、
前記出力手段が出力する映像から特定の文字列を検出する検出手段と、
前記検出手段により検出された前記特定の文字列が含まれる静止画像の記憶処理を実行する記憶実行手段と、
前記記憶実行手段が実行する記憶処理によって記憶された静止画像を提示し、当該提示された静止画像から特定の静止画像を選択することをユーザに許可する提示手段と、
前記提示手段で選択された静止画像に含まれ、前記検出された前記特定の文字列に基づいて特定の処理の実行を制御する制御手段と、
を具備することを特徴とする情報記憶装置。
【請求項２】
前記記憶実行手段は、前記静止画像と関連付けて、前記検出された前記特定の文字列に対する記憶処理を実行し、
前記制御手段は、前記記憶実行手段が実行する記憶処理によって記憶された前記特定の文字列に基づいて前記特定の処理の実行を制御する、
ことを特徴とする請求項１記載の情報記憶装置。
【請求項３】
前記特定の文字列は、インターネットを利用する情報検索を誘導する文字列であり、
前記特定の処理は、前記インターネットを利用する情報検索の処理であることを特徴とする請求項１記載の情報記憶装置。
【請求項４】
前記提示手段は、前記出力手段が現在出力している映像と共に前記静止画像を提示することを特徴とする請求項１記載の情報記憶装置。
【請求項５】
前記記憶実行手段は、前記提示手段が提示した前記静止画像から前記特定の文字列が検出された場合、当該文字列が含まれる前記静止画像の記憶処理を実行することを除外することを特徴とする請求項４記載の情報記憶装置。
【請求項６】
請求項１乃至５の何れか１項の情報記憶装置を備えることを特徴とする電子機器。
【請求項７】
映像を出力し、
出力する前記映像から特定の文字列を検出し、
検出された前記特定の文字列が含まれる静止画像の記憶処理を実行し、
前記実行される記憶処理によって記憶された静止画像を提示し、当該提示された静止画像から特定の静止画像を選択することをユーザに許可し、
前記選択された静止画像に含まれ、前記検出された前記特定の文字列を利用して特定の処理の実行を制御する、
ことを特徴とする情報記憶方法。
【発明の詳細な説明】
【技術分野】
【０００１】
本発明は、映像と映像中の文字列とを関連付けて記憶する情報記憶装置と、この情報記憶装置を備えた電子機器および情報記憶方法に関する。
【背景技術】
【０００２】
近年、地上デジタル放送波や衛星デジタル放送波といった放送波だけでなく、インターネットやＣＡＴＶ（Community  Antenna  TeleVision）といったネットワークなどの様々な伝送経路により、多くの放送番組が提供されている。そして、これらの放送番組を取得するために、特定放送波を選局するチューナだけでなく、インターネットなどのネットワークに接続するための通信手段を備えたテレビジョン受像機やＨＤＤレコーダなどの電子機器が広く普及している。また、これらの電子機器は、インターネットなどに接続して、放送番組だけでなく、外部のサーバから提供される様々な情報を取得することが可能になっている。
【０００３】
しかし一般的に、テレビジョン受像機やＨＤＤレコーダなどの電子機器は、これらの電子機器に備えられた操作ボタンやリモコンなどによって操作され、インターネットなどから所望の情報を検索するための文字入力といった操作入力には適していなかった。特に、電子機器の利用者は、映像に関連するキーワードが画面上に提示された場合に、これを写し取って何らかの入力手段によって入力する方法をとらざるを得なかった。
【０００４】
そこで、従来、映像に関連するキーワードを、効果的にユーザの利便性よく利用するための様々な手法が、多く提案されている。
例えば、特許文献１によれば、視聴中の番組に出現する様々な情報の内で、ユーザが気になった話題、言葉から抽出されたキーワードに基づいた、情報検索のための複数のキーワードのリストを提示して、情報検索の利便性を向上する手法が開示されている。
【先行技術文献】
【特許文献】
【０００５】
【特許文献１】特開２００９−０７１６２３号公報  （図４  段落００５２−００５５）
【発明の概要】
【発明が解決しようとする課題】
【０００６】
しかし、特許文献１では、ユーザが番組を視聴しているときに特定の操作入力を行うと、この操作入力を起点として、視聴している番組の映像に関連するキーワードが抽出され、さらに抽出されたキーワードに基づいた、情報検索のためのキーワードリストが提示されていた。従ってユーザが、視聴しながら特定キー押下などといった特定の操作を行うことで、漸く情報検索のためのキーワードリストが提示されていたので、映像に関連するキーワードが、効果的にユーザの利便性よく利用されていなかった。
【０００７】
そこで、本発明は上述した課題を解決するために、映像に関連するキーワードを、効果的にユーザの利便性よく利用することができる情報記憶装置、電子機器および情報記憶方法を提供することを目的とする。
【課題を解決するための手段】
【０００８】
本発明は上述した課題を解決するため、映像を出力する出力手段と、前記出力手段が出力する映像から特定の文字列を検出する検出手段と、前記検出手段により検出された前記特定の文字列が含まれる静止画像の記憶処理を実行する記憶実行手段と、前記記憶実行手段が実行する記憶処理によって記憶された静止画像を提示し、当該提示された静止画像から特定の静止画像を選択することをユーザに許可する提示手段と、前記提示手段で選択された静止画像に含まれ、前記検出された前記特定の文字列に基づいて特定の処理の実行を制御する制御手段と、を具備することを特徴とする情報記憶装置を提供する。
【０００９】
また本発明は上述した課題を解決するため、映像を出力し、出力する前記映像から特定の文字列を検出し、検出された前記特定の文字列が含まれる静止画像の記憶処理を実行し、前記実行される記憶処理によって記憶された静止画像を提示し、当該提示された静止画像から特定の静止画像を選択することをユーザに許可し、前記選択された静止画像に含まれ、前記検出された前記特定の文字列を利用して特定の処理の実行を制御する、ことを特徴とする情報記憶方法を提供する。
【発明の効果】
【００１０】
本発明によれば、映像に関連するキーワードを、効果的にユーザの利便性よく利用することができる。
【図面の簡単な説明】
【００１１】
【図１】本発明の実施形態に係る情報記憶装置を備える電子機器であるテレビジョン受像機の構成を示すブロック図。
【図２】複数の操作入力の情報それぞれに対応付けられた複数のキーが設けられたリモコンの例を示す図。
【図３】本実施形態における、キーワードが出力されている映像を静止画像として記憶する静止画像記憶処理および、インターネットを利用する情報検索処理を実行する各ブロックによるシステム構成図。
【図４】キーワードが出力されている映像を静止画像として記憶する静止画像記憶処理の動作を説明するためのフローチャート。
【図５】本発明の実施形態における、特定のキーワードが含まれる文字列の映像信号を含む静止画像の例を示す図。
【図６】本発明の実施形態における、インターネットを利用する情報検索を誘導する文字列の様々な例を示す図。
【図７】インターネットを利用する情報検索処理の動作を説明するためのフローチャート。
【図８】本発明の実施形態における、複数のサムネイルが提示される画像の例を示す図。
【図９】本発明の実施形態における、検索結果が提示される画像の例を示す図。
【発明を実施するための形態】
【００１２】
以下、本発明における実施形態について図面を用いて説明する。
図１は、本発明の実施形態に係る情報記憶装置を備える電子機器であるテレビジョン受像機１０の構成を示すブロック図である。
本実施形態に係るテレビジョン受像機１０は、放送波処理部２０、外部機器ＩＦ部３１、ネットワークＩＦ部３２、信号処理制御部４０、操作部５１、受光部５２、表示器６１、スピーカ６２、記憶部７１などで構成されている。また、放送波処理部２０にはアンテナＡＮＴが接続されていて、受光部５２はリモコンＲＣと情報のやりとりを行う。
【００１３】
このテレビジョン受像機１０は、放送波処理部２０で選局されたチャンネルの映像や、外部機器ＩＦ部３１、ネットワークＩＦ部３２から入力される映像に基づいて特定のキーワードを検出する。そしてテレビジョン受像機１０は、特定のキーワードが検出された場合、このキーワードに関連付けられる映像を静止画像として記憶する。またテレビジョン受像機１０は、記憶した静止画像と関連付けて、検出された特定のキーワードを記憶する。さらにこのテレビジョン受像機１０は、記憶した静止画像と特定のキーワードに基づいて、特定の処理を実行する。
【００１４】
放送波処理部２０は、アンテナＡＮＴによって受信された地上または衛星によるデジタル放送波やアナログ放送波に対応するチューナおよびデコーダを有する。この放送波処理部２０は、アンテナＡＮＴが受信した信号を取得して、この取得した信号に対して特定チャンネルの選局処理および復調復号処理を施し、番組の映像音声情報や番組関連情報などが含まれる信号を信号処理制御部４０に出力する。番組関連情報は、番組に関するチャンネル番号や、放送波、放送局名、番組名、ジャンルなどの情報である。特に、この放送波処理部２０は、特定のキーワードが提示される映像信号を出力する。
【００１５】
外部機器ＩＦ部３１は、ＨＤＭＩ（登録商標）規格やＵＳＢ規格、ＩＥＥＥ１３９４規格などの様々な規格に準じた接続部によりテレビジョン受像機１０の外部機器や、外部ＨＤＤやメモリカードなどの記録媒体などに接続する。そして、外部機器ＩＦ部３１は、この接続した外部機器や記録媒体などから提供される複数の番組の映像音声情報や番組関連情報などが含まれる信号を取得して信号処理制御部４０へ出力する。また、外部機器ＩＦ部３１は、記録媒体が接続された場合、この接続された記録媒体に対して記憶した情報を出力する。本実施形態では、外部機器ＩＦ部３１は、特定のキーワードが提示される映像信号を出力する。
【００１６】
ネットワークＩＦ部３２は、インターネットや、ＬＡＮ、ＷＡＮなどのネットワークに接続し、この接続したネットワークを介して提供される映像コンテンツの映像音声情報や番組関連情報などが含まれる信号を取得して信号処理制御部４０へ出力する。また、ネットワークＩＦ部３２は、ネットワークを介してテレビジョン受像機１０の外部ＨＤＤやメモリカードなどの記録媒体に接続して、この接続した記録媒体から複数の番組の映像音声情報や番組関連情報などが含まれる信号を読み出して取得し、信号処理制御部４０へ出力する。さらに、ネットワークＩＦ部３２は、記録媒体が接続された場合、この接続された記録媒体に対して記憶した情報を出力する。本実施形態では、ネットワークＩＦ部３２は、特定のキーワードが提示される映像信号を出力する。
【００１７】
操作部５１は、テレビジョン受像機１０を操作する操作入力の情報を受信して信号処理制御部４０へ出力する。同様に受光部５２は、リモコンＲＣからの操作入力の情報を受光（受信）して信号処理制御部４０へ出力する。この操作部５１またはリモコンＲＣは、ネットワークであるインターネットに接続して情報検索を実行するためのキーや、記憶された静止画像から特定の静止画像を選択するキーなどを備えている。
【００１８】
信号処理制御部４０は、操作部５１や受光部５２からの操作入力などの情報に基づいて、放送波処理部２０や外部機器ＩＦ部３１、ネットワークＩＦ部３２などから入力された情報に対して、圧縮されたデータの伸張処理などの様々な処理や、番組表を作成するための情報抽出処理を施す。この信号処理制御部４０は、取得された情報に対して、ＭＰＥＧ符号化／復号化演算処理や、映像信号と音声信号の分離処理などの様々な処理を施して表示器６１へ映像信号を出力し、スピーカ６２へ音声信号を出力する。また、信号処理制御部４０は制御部として、ＣＰＵまたはマイコン（不図示）を備えていて、信号処理制御部４０自身に備えられた各モジュールや信号処理制御部４０に接続された各モジュールを利用して複数の処理の実行を制御する。
【００１９】
本実施形態では、信号処理制御部４０は、各部から入力される映像に基づいて映像中に出力されている文字列から特定のキーワードを検出する。そして信号処理制御部４０は、特定のキーワードが検出された場合、このキーワードが出力されている映像を静止画像として記憶部７１に記憶する静止画像記憶処理を実行する。また信号処理制御部４０は、記憶した静止画像と関連付けて、検出された特定のキーワードも記憶部７１に記憶する。さらに、信号処理制御部４０は、記憶した静止画像と特定のキーワードとに基づいて、ネットワークＩＦ部３２を介してインターネットを利用する情報検索処理を実行する。
【００２０】
表示器６１は、信号処理制御部４０から入力された映像信号を表示する表示モジュールである。例えば、表示器６１は、液晶ディスプレイ（Liquid  Crystal  Display；以下、ＬＣＤとも称する）やＰＤＰ（Plasma  Display  Panel）などの薄型ディスプレイである。
【００２１】
スピーカ６２は、信号処理制御部４０から入力された音声信号を出力する。
記憶部７１は、信号処理制御部４０から入力される静止画像と特定のキーワードとを関連付けて記憶し、信号処理制御部４０からの要求に応じて、記憶した静止画像と特定のキーワードとを出力する。また記憶部７１は、文字の形状に関する文字データベースを記憶する。この記憶部７１には、ＨＤＤや不揮発性メモリなどの記憶媒体を適用することができる。
【００２２】
なお、本実施形態は、本発明に係る構成を適用した情報記憶装置を備える電子機器として、テレビジョン受像機を例とした形態である。しかし、本実施形態に係る電子機器と同様の構造の、ＨＤＤレコーダ、ＤＶＤレコーダ、パーソナルコンピュータ、携帯移動端末などを例とした形態であっても構わない。また、テレビ放送や衛星放送だけでなく、ラジオ放送やインターネット等を用いた有線放送などを受信して映像信号を出力する電子機器であるセットトップボックスなどを例とした実施形態であってもよい。
【００２３】
このような構成により、本発明の実施形態に係るテレビジョン受像機１０は、入力される映像に基づいて映像中に出力されている文字列から特定のキーワードを検出する。そして、特定のキーワードが検出された場合、このキーワードが出力されている映像が静止画像として記憶部７１に記憶される静止画像記憶処理が実行される。また、記憶された静止画像と関連付けて、検出された特定のキーワードも記憶される。さらに、記憶した静止画像と特定のキーワードとに基づいて、ネットワークＩＦ部３２を介してインターネットを利用する情報検索処理が実行される。従って、本発明の実施形態によれば、映像に関連するキーワードを、効果的にユーザの利便性よく利用することができる。
【００２４】
そして、これらの処理は、放送波処理部２０などから入力された情報に基づいて、主に信号処理制御部４０が実行するものである。
次に、図２を用いて、図１で説明した受光部５２が受光する操作入力の情報を出力するリモコンＲＣに設けられた複数のキーを説明する。
図２は、複数の操作入力の情報それぞれに対応付けられた複数のキーが設けられたリモコンＲＣの例を示す図である。
テレビジョン受像機１０の利用者は、リモコンＲＣに設けられた特定のキーを押下し、この押下されたキーに対応付けられた操作入力の情報をリモコンＲＣから出力させてテレビジョン受像機１０を操作する。リモコンＲＣは、操作入力の情報を、赤外線などを利用してテレビジョン受像機１０へ出力する。
【００２５】
メニューキー２０１は、テレビジョン受像機１０の特定機能に対する様々な設定や、操作を行うためのメニュー画面を表示器６１上で表示／消去させるキーである。
検索キー２０２は、インターネットを利用する情報検索処理を開始させるためのキーである。
方向キー２０３は、表示器６１に提示されている静止画像の中から、特定の静止画像が選択されていることを示すフォーカスマークを移動するキーである。
決定キー２０４は、表示器６１に提示されている静止画像の中で選択されている静止画像に関連付けられている特定のキーワードに基づいて、インターネットを利用する情報検索処理を実行するためのキーである。
【００２６】
戻るキー２０５および終了キー２０６は、メニューキー２０１の押下により表示されるメニュー画面や、検索キー２０２の押下により表示される静止画像を消去させるキーである。
【００２７】
また、リモコンＲＣには他にも多数のキーが備えられていて、それぞれに割当てられた操作を実行させることができる。さらに、リモコンＲＣに設けられたキーと同等のキーが、操作部５１に設けられていても構わない。
【００２８】
すなわち、テレビジョン受像機１０の利用者は、リモコンＲＣなどに設けられた特定のキーを押下して、インターネットを利用する情報検索処理を開始するように、テレビジョン受像機１０を操作することが可能である。
【００２９】
次に、図３を用いて、主として図１で説明した信号処理制御部４０に備えられ、キーワードが出力されている映像を静止画像として記憶する静止画像記憶処理および、インターネットを利用する情報検索処理を実行する各ブロックを説明する。
【００３０】
図３は、本実施形態における、キーワードが出力されている映像を静止画像として記憶する静止画像記憶処理および、インターネットを利用する情報検索処理を実行する各ブロックによるシステム構成図である。
【００３１】
本実施形態に係る信号処理制御部４０は、映像処理部３０１、静止画像抽出部３０２、文字列抽出部３０３、キーワード検出部３０４、サムネイル生成部３０５、ブラウザ生成部３０６、ＯＳＤ生成部３０７、ブレンド部３０８などを備えている。
【００３２】
映像処理部３０１は、放送波処理部２０や外部機器ＩＦ部３１、ネットワークＩＦ部３２などから入力された情報に基づいて、所定の処理を施して生成した映像信号を、静止画像抽出部３０２およびブレンド部３０８へ出力する。
【００３３】
静止画像抽出部３０２は、映像処理部３０１から入力された映像信号に基づいて、所定間隔で静止画像を抽出して記憶部７１に記憶し、所定の条件が満たされる場合には、記憶した静止画像を削除する。また、静止画像抽出部３０２は、抽出した静止画像を文字列抽出部３０３へ出力する。例えば、この静止画像抽出部３０２は、フレーム毎の静止画像や、数フレーム間隔の静止画像を抽出する。
【００３４】
文字列抽出部３０３は、静止画像抽出部３０２から入力された静止画像に基づいて、この静止画像の中に画像と一体の映像信号となっている文字列の有無を判定する。具体的には、文字列抽出部３０３は、静止画像の全体を所定範囲ごとに分析し、文字として認識される画像と記憶部７１に記憶されている文字データベースとを比較して、最も近い文字を特定することで文字列の有無を判定する。例えば、この分析には、画像特開２００５−０８４１５７号公報に開示されている手法が適用可能である。そして文字列抽出部３０３は、分析の結果、文字列がある場合に、この文字列を抽出して文字列情報としてキーワード検出部３０４へ出力する。例えば、この文字列情報はテキスト情報である。
【００３５】
キーワード検出部３０４は、文字列抽出部３０３から入力された文字列情報に基づいて、この文字列情報から特定のキーワードを検出する。そしてキーワード検出部３０４は、特定のキーワードを検出した場合に、検出されたキーワードを、このキーワードが含まれていた文字列の映像信号を含む静止画像と関連付けて記憶部７１に記憶する。
【００３６】
サムネイル生成部３０５は、記憶部７１に記憶されている静止画像を読み出して生成したサムネイルを、ブレンド部３０８へ出力する。
ブラウザ生成部３０６は、記憶部７１から記憶されている特定のキーワードを読み出し、ネットワークＩＦ部３２を介して接続するインターネットを利用する情報検索処理を実行する。インターネットを利用する情報検索処理では、インターネット上の情報検索サイトに対して検索キーワードを通知して情報検索させる。またブラウザ生成部３０６は、インターネットから取得する映像コンテンツの情報に基づいて、ブラウジング処理を施して生成した映像信号をブレンド部３０８へ出力する。
【００３７】
ＯＳＤ生成部３０７は、所定の処理に応じて生成したＯＳＤ画面の映像信号をブレンド部３０８へ出力する。
ブレンド部３０８は、映像処理部３０１、サムネイル生成部３０５、ブラウザ生成部３０６およびＯＳＤ生成部３０７から入力された映像信号を合成した出力画面を生成する。出力画面には、それぞれのブロックから入力された映像信号が所定の領域に配置されている。そしてブレンド部３０８は、生成した出力画面の映像信号を表示器６１へ出力する。
【００３８】
このようなシステムの構成により、本発明の実施形態に係る信号処理制御部４０の一部は、キーワードが出力されている映像を静止画像として記憶する静止画像記憶処理および、インターネットを利用する情報検索処理を実行する情報記憶装置として機能する。
【００３９】
次に、図４を用いて、図３で説明した各ブロックによって実行される、キーワードが出力されている映像を静止画像として記憶する静止画像記憶処理の動作を説明する。
【００４０】
図４は、キーワードが出力されている映像を静止画像として記憶する静止画像記憶処理の動作を説明するためのフローチャートである。
まず、静止画像抽出部３０２は、映像処理部３０１から入力される映像信号に基づいて、静止画像を抽出して文字列抽出部３０３に出力すると共に記憶部７１に記憶する（Ｓ４０１）。文字列抽出部３０３は、静止画像抽出部３０２から入力された静止画像の中に画像と一体の映像信号となっている文字列がある場合にこの文字列を抽出する（Ｓ４０２）。そして、文字列抽出部３０３が抽出した文字列に基づいて、キーワード検出部３０４は、この文字列の中に含まれる特定のキーワードを検出したか否かを判断する（Ｓ４０３）。
【００４１】
特定のキーワードが検出された場合（Ｓ４０３のＹｅｓ）、キーワード検出部３０４は、検出されたキーワードを、このキーワードが含まれていた文字列の映像信号を含む静止画像と関連付けて記憶部７１に保存（記憶）して（Ｓ４０４）、この処理は終了する。また、特定のキーワードが検出されない場合（Ｓ４０３のＮｏ）、静止画像抽出部３０２は、直前に記憶した静止画像を破棄して（Ｓ４０５）、この処理は終了する。
【００４２】
このようにして、信号処理制御部４０に備えられた各ブロックによって、キーワードが出力されている映像を静止画像として記憶する静止画像記憶処理の動作が実行される。
【００４３】
次に、図５を用いて、図４で説明したフローチャートにおいて、静止画像抽出部３０２が記憶部７１に記憶し、特定のキーワードが含まれる文字列の映像信号を含む静止画像の例を説明する。
【００４４】
図５は、本発明の実施形態における、特定のキーワードが含まれる文字列の映像信号を含む静止画像の例を示す図である。
この静止画像の画面５００には、映像処理部３０１が出力する映像信号に基づいた静止画像の中に、インターネットを利用する情報検索を誘導する文字列５１０が映像信号となって示されている。具体的には、文字列５１０は、特定のキーワードである文字列“いろはにほ”に基づいて“検索”することを誘導する。すなわち、文字列“いろはにほ”が、インターネット上の情報検索サイトに対して検索キーワードとして通知されることで、インターネットを利用する情報検索が実行される。
【００４５】
また、文字列５１０は、画面上で下方の略中央の領域に示されずに、不特定の領域に示されてもよい。
次に、図６を用いて、インターネットを利用する情報検索を誘導する文字列の様々な例を説明する。図６は、本発明の実施形態における、インターネットを利用する情報検索を誘導する文字列の様々な例を示す図である。
【００４６】
図６（ａ），（ｂ）は、文字列“いろはにほ”に基づいて“検索”または“ｓｅａｒｃｈ”することを誘導する文字列である。
図６（ｃ），（ｄ）は、インターネット上の特定のサイトを一意的に示すＵＲＬであり、図６（ａ），（ｂ）に示したように、文字列に基づいてインターネット上の情報検索サイトを利用して情報検索させるのではなく、直接的にＵＲＬが示す特定のサイトを検索することを誘導する文字列である。
【００４７】
図６（ａ）〜（ｄ）に示した文字列は、一例であり、これ以外の文字列が、インターネットを利用する情報検索を誘導する文字列になり得ることはいうまでもない。
次に、図７を用いて、図３で説明した各ブロックによって実行される、インターネットを利用する情報検索処理の動作を説明する。
図７は、インターネットを利用する情報検索処理の動作を説明するためのフローチャートである。
まず、テレビジョン受像機１０の利用者によってリモコンＲＣなどに設けられた検索キー２０２が押下されるか否かを判断する（Ｓ７０１）。検索キー２０２が押下された場合（Ｓ７０１のＹｅｓ）、サムネイル生成部３０５は、記憶部７１に記憶されている静止画像を読み出して生成したサムネイルを、ブレンド部３０８を介して表示機６１に提示させる（Ｓ７０２）。また、検索キー２０２が押下されない場合（Ｓ７０１のＮｏ）、再び、検索キー２０２が押下されるか否かが判断される（Ｓ７０１）。
【００４８】
そして、テレビジョン受像機１０の利用者による、リモコンＲＣなどに設けられた方向キー２０３および決定キー２０４の押下に応じた操作入力の情報に基づいて、特定のサムネイルの選択が決定される（Ｓ７０３）。ブラウザ生成部３０６は、選択されたサムネイルの基である静止画像と関連付けて保存されているキーワードを読み出して、インターネットを利用する情報検索処理を実行する（Ｓ７０４）。また、ブラウザ生成部３０６は、検索結果として得られる、インターネットから取得する映像コンテンツの情報に基づいて生成した映像信号をブレンド部３０８へ出力する。そしてブレンド部３０８は、複数のブロックから入力された複数の映像信号をブレンドした映像を表示器６１に表示させる（Ｓ７０５）。
【００４９】
このようにして、信号処理制御部４０に備えられた各ブロックによって、インターネットを利用する情報検索処理の動作が実行される。
次に、図８を用いて、図７で説明したインターネットを利用する情報検索処理の動作において、記憶部７１に記憶されている静止画像に基づいて生成される複数のサムネイルが提示される画像の例を説明する。図８は、本発明の実施形態における、複数のサムネイルが提示される画像の例を示す図である。
【００５０】
複数のサムネイルが提示される画像８００には、映像処理部３０１が出力する出力映像８１０と、サムネイル生成部３０５が生成する複数のサムネイル８２１〜８２４とが、それぞれ所定の領域に提示されている。また、複数のサムネイル８２１〜８２４には、インターネットを利用する情報検索を誘導する文字列８５１〜８５４それぞれが不特定の領域に示されている。
【００５１】
さらに具体的には、出力映像８１０は、映像処理部３０１が、放送波処理部２０や外部機器ＩＦ部３１、ネットワークＩＦ部３２などから入力された情報に基づいて出力する映像信号を、ブレンド部３０８が、画面の所定に領域に配置した動画映像である。この出力映像８１０には、インターネットを利用する情報検索を誘導する文字列が示される場合もある。
【００５２】
また、複数のサムネイル８２１〜８２４は、サムネイル生成部３０５が、記憶部７１に記憶されている静止画像に基づいて生成したサムネイルである。例えば、複数のサムネイル８２１〜８２４は、記憶部７１に記憶された日時に基づいて、この日時の降順などの所定の順序で提示される。また、出力映像８１０と同一チャンネルや、現在時刻に対して前後の所定時間内などといった所定のフィルタリングを施されたサムネイルが提示されてもよい。テレビジョン受像機１０の利用者は、リモコンＲＣなどに設けられた方向キー２０３を押下することで、提示されている複数のサムネイル８２１〜８２４の中から特定のサムネイルを選択することが可能となる。さらに、テレビジョン受像機１０の利用者は、リモコンＲＣなどに設けられた決定キー２０４を押下して、選択したサムネイルに基づいた、インターネットを利用する情報検索処理を実行させることができる。
【００５３】
そして、インターネットを利用する情報検索を誘導する文字列８５１〜８５４は、複数のサムネイル８２１〜８２４それぞれの不特定の領域に示される。例えば、文字列８５１は、サムネイル８２１の画面上のうち、下方の略中央の領域に示され、文字列８５２は、サムネイル８２２の画面上の下方の左側の領域に示される。
【００５４】
また、サムネイル８２１の上部には、現在提示されていないサムネイルの存在を示す、上向き△マークが提示されている。同様に、サムネイル８２４の下部には、現在提示されていないサムネイルの存在を示す、下向き▽マークが提示されている。そして、テレビジョン受像機１０の利用者は、リモコンＲＣなどに設けられた方向キー２０３の上方向キーや下方向キーを押下することで、この上向き△マークの更に上部に提示されるサムネイルや、下向き▽マークの更に下部に提示されるサムネイルなどを提示させることが可能となる。
【００５５】
なお、本実施形態のように、複数のサムネイル８２１〜８２４が、画面左側に４つ提示されるのではなく、例えば、画面の不特定の領域に、４つ以外の任意の数で提示される形態であっても構わない。また、複数のサムネイル８２１〜８２４が、出力映像８１０に重畳して、出力映像８１０の一部を隠すようにして提示されてもよい。
【００５６】
次に、図９を用いて、図７で説明したインターネットを利用する情報検索処理の動作において、検索結果が提示される画像の例を説明する。図９は、本発明の実施形態における、検索結果が提示される画像の例を示す図である。
【００５７】
検索結果が提示される画像９００には、映像処理部３０１が出力する出力映像９１０と、ブラウザ生成部３０６が生成するインターネットの情報検索サイトによる検索結果が提示される画像９２０が、所定の領域の提示されている。なお、インターネットの情報検索サイトとして、特定のサイトが利用される実施形態、またはテレビジョン受像機１０の利用者が任意に選択する不特定のサイトが利用される実施形態など、様々なサイトが利用されて構わない。
【００５８】
さらに具体的には、出力映像９１０は、映像処理部３０１が、放送波処理部２０や外部機器ＩＦ部３１、ネットワークＩＦ部３２などから入力された情報に基づいて出力する映像信号を、ブレンド部３０８が、画面の所定に領域に配置した動画映像である。この出力映像９１０には、インターネットを利用する情報検索を誘導する文字列が示される場合もある。
【００５９】
また、検索結果が提示される画像９２０には、この検索結果の基となった、インターネットを利用する情報検索を誘導する文字列と、検索結果とが提示される。さらに、全ての検索結果が画面上に提示できない場合に、画面上方または下方に提示されるべき検索結果が存在し、この全ての検索結果に対して、現在、提示されている画面の画面上下方向の位置を示すためのスクロールバーも提示される。
【００６０】
なお、検索結果が提示される画像９２０が、出力映像９１０に重畳して、出力映像９１０の一部を隠すようにして提示されてもよい。また、本実施形態のように、検索結果が提示される画像９２０が、画面左側に提示されるのではなく、例えば、画面の右側や下側などの不特定の領域に提示されてもよい。
【００６１】
（変形例１）
また、図３に示したシステム構成図における各ブロックの構成を変更しても、本発明は実現することができる。
図示しないが、文字列抽出部３０３およびキーワード検出部３０４が、静止画像抽出部３０２からの情報に対して動作するのではなく、ブラウザ生成部３０６が利用する情報に対して動作する。
【００６２】
具体的には、静止画像抽出部３０２は、映像処理部３０１から入力された映像信号に基づいて、所定間隔で静止画像を抽出して記憶部７１に記憶するだけで、抽出した静止画像を文字列抽出部３０３へは出力しない。
【００６３】
そして、テレビジョン受像機１０の利用者によって、インターネットを利用する情報検索処理の実行の要求がなされると、文字列抽出部３０３が、記憶部７１に記憶された静止画像を読み出す。また、文字列抽出部３０３は、読み出した静止画像に基づいて、この静止画像の中に画像と一体の映像信号となっている文字列を抽出して文字列情報としてキーワード検出部３０４へ出力する。そして、キーワード検出部３０４は、入力された文字列情報に基づいて、この文字列情報から特定のキーワードを検出した場合に、このキーワードをブラウザ生成部３０６に出力する。さらにブラウザ生成部３０６は、入力されたキーワードに基づいて、ネットワークＩＦ部３２を介して接続するインターネットを利用する情報検索処理を実行する。
【００６４】
すなわち、記憶部７１には、静止画像のみが記憶され、この静止画像を読み出した文字列抽出部３０３が、文字列を抽出することで、インターネットを利用する情報検索処理を実行することが可能となる。
【００６５】
（変形例２）
さらに、図３に示したシステム構成図における静止画像抽出部３０２が、所定間隔で静止画像を抽出して記憶部７１に記憶するのではなく、所定条件が満たされる場合にのみ、静止画像を記憶する実施形態であってもよい。
【００６６】
この実施形態を実現するために、映像処理部３０１から出力される映像信号は、静止画像抽出部３０２〜文字列抽出部３０３〜キーワード検出部３０４という順序ではなく、文字列抽出部３０３〜キーワード検出部３０４〜静止画像抽出部３０２という順序で処理される。
【００６７】
さらに具体的には、文字列抽出部３０３は、映像処理部３０１から入力された映像信号に基づいて、画像フレーム毎に文字列の有無判断し、文字列があった場合に、この文字列を抽出してキーワード検出部３０４へ出力する。そして、キーワード検出部３０４が、特定のキーワードを検出した場合に、静止画像抽出部３０２が、検出されたキーワードと、このキーワードが含まれていた文字列の映像信号を含む静止画像とを記憶部７１に記憶する。
【００６８】
また、各ブロックの処理負荷を軽減するために、例えば、文字列抽出部３０３が、所定周期の画像フレームに対して文字列の有無を判断する実施形態や、画像フレームを所定のレートで解像度を低くして文字列の有無を判断する実施形態であってもよい。
【００６９】
すなわち、静止画像ではなく動画映像に対して、文字列およびキーワードの有無を判断することも可能である。なお、動画映像から文字列を抽出する技術は公知の技術を適用することが可能である。
【００７０】
なお、これまで説明した本実施形態では、インターネットを利用する情報検索を誘導する文字列が含まれる静止画像を記憶して、インターネットを利用する情報検索処理を実行する形態であった。しかし本発明は、例えば、電話番号を示す文字列が含まれる静止画像を記憶して、電話をかける処理を実行する形態や、住所を示す文字列が含まれる静止画像を記憶して、住所録を作成する処理を実行する形態など、様々な形態に応用することも可能である。
【００７１】
以上説明したように、本発明に係る本実施形態によれば、入力される映像に基づいて特定のキーワードが検出された場合に、このキーワードに関連付けられる映像が静止画像として記憶される。また、記憶された静止画像と関連付けられた特定のキーワードが検出される。そして、記憶された静止画像と特定のキーワードに基づいて、特定の処理が実行されるので、映像に関連するキーワードを、効果的にユーザの利便性よく利用することができる。
【００７２】
また本発明は、上述した実施形態に限定されるものではなく、本発明の要旨を変えない範囲において、種々の変更、改変等が可能である。
【符号の説明】
【００７３】
１０…テレビジョン受像機、２０…放送波処理部、３１…外部機器ＩＦ部、３２…ネットワークＩＦ部、４０…信号処理制御部、５１…操作部、５２…受光部、６１…表示器、６２…スピーカ、７１…記憶部、ＲＣ…リモコン、２０１…メニューキー、２０２…検索キー、２０３…方向キー、２０４…決定キー、３０１…映像処理部、３０２…静止画像抽出部、３０３…文字列抽出部、３０４…キーワード検出部、３０５…サムネイル生成部、３０６…ブラウザ生成部、３０７…ＯＳＤ生成部、３０８…ブレンド部。
【図１】
2015039048.tif 000003
【図２】
2015039048.tif 000004
【図３】
2015039048.tif 000005
【図４】
2015039048.tif 000006
【図５】
2015039048.tif 000007
【図６】
2015039048.tif 000008
【図７】
2015039048.tif 000009
【図８】
2015039048.tif 000010
【図９】
2015039048.tif 000011